(57)【要約】【課題】施術者が把持し易く容易に操作することができる持針器を提供する。【解決手段】持針器１は、基端部９で連結されてＶ字形状をなし、互いに弾性的に接近及び離間可能とされた１対の操作脚部６，７と、各操作脚部操作脚部６，７の先細となった先端部に設けられ、各操作脚部操作脚部６，７の軸方向及び離間方向に対して互いに直交する方向に湾曲する尖端部１４により、手術用縫合針を挟持する挟持部８とを備える持針器本体２と、持針器１本体の基端部９に進退自在に装着された保持部材３，４，５とを備える。保持部材３，４，５は、持針器１本体の長手方向軸に対してなす角度が互いに異なる複数の保持部材３，４が交換自在であり、長さが互いに異なる複数の保持部材３，５が交換自在である。【選択図】  図１
2011000211.tif 000002
【特許請求の範囲】
【請求項１】
基端部で連結されてＶ字形状をなし、互いに弾性的に接近及び離間可能とされた１対の操作脚部と、
各操作脚部の先細となった先端部に設けられ、各操作脚部の軸方向及び離間方向に対して互いに直交する方向に湾曲する尖端部により、手術用縫合針を挟持する挟持部とを備える持針器本体と、
該持針器本体の基端部に進退自在に装着された保持部材とを備えることを特徴とする持針器。
【請求項２】
前記保持部材は、前記持針器本体の長手方向軸に対してなす角度が互いに異なる複数の保持部材が交換自在であることを特徴とする請求項１記載の持針器。
【請求項３】
前記保持部材は、長さが互いに異なる複数の保持部材が交換自在であることを特徴とする請求項１又は２記載の持針器。
【発明の詳細な説明】
【技術分野】
【０００１】
本発明は、切開部等の縫合の際に用いられる手術用縫合針を把持する持針器に関する。
【背景技術】
【０００２】
一般に、手術等で切開部等を縫合する際に用いられる手術用縫合針は、円弧状に湾曲した形状を備えている。従来、前記手術用縫合針を把持する持針器として、回動する支点部によりＸ字状に交差し、互いに弾性的に接近及び離間可能とされた１対の操作脚部と、各操作脚部の先端部に設けられ、手術用縫合針を挟持する挟持部とを備えるものが提案されている（例えば特許文献１参照）。前記持針器は、一方の操作脚部が施術者の第１指（親指）で把持されるとともに、他方の操作脚部が第２指（人差指）、第３指（中指）、第４指（薬指）、及び第５指（小指）で把持されて押圧されることにより、各挟持部が接近して手術用縫合針を挟持することができる。
【０００３】
しかし、前記持針器では、第１指から第５指まで全てを使って把持するので、縫合部位によっては操作しづらいという問題がある。
【０００４】
そこで、前記問題を解決するために、基端部で連結されてＶ字形状をなし、互いに弾性的に接近及び離間可能とされた１対の操作脚部と、各操作脚部の先端部に設けられ、手術用縫合針を挟持する挟持部とを備える持針器が提案されている（例えば特許文献２参照）。前記持針器は、各操作脚部が施術者の第１指と第２指とで把持されて押圧されることにより、各挟持部が接近して手術用縫合針を挟持することができる。このとき、前記持針器は、基端部が第１指と第２指と間の股部に載置され、安定して支持される。
【０００５】
しかしながら、前記持針器は、それ自体が固有の長さであるので、施術者の手指の大きさによっては、手術用縫合針を挟持した状態で操作することが困難であるという不都合がある。
【先行技術文献】
【特許文献】
【０００６】
【特許文献１】実開平５−７０５１４号公報、図１
【特許文献２】特開２００８−２００７８４号公報、図１
【発明の概要】
【発明が解決しようとする課題】
【０００７】
本発明は、施術者が把持し易く容易に操作することができる持針器を提供することを目的とする。
【課題を解決するための手段】
【０００８】
かかる目的を達成するために、本発明の持針器は、基端部で連結されてＶ字形状をなし、互いに弾性的に接近及び離間可能とされた１対の操作脚部と、各操作脚部の先細となった先端部に設けられ、操作脚部の軸方向及び離間方向に対して互いに直交する方向に湾曲する尖端部により、手術用縫合針を挟持する挟持部とを備える持針器本体と、該持針器本体の基端部に進退自在に装着された保持部材とを備えることを特徴とする。
【０００９】
本発明の持針器では、各操作脚部が施術者の第１指と第２指とで把持されて押圧されることにより、各挟持部が接近して手術用縫合針を挟持することができる。また、本発明の持針器では、基端部に装着された保持部材が、第１指と第２指との間の股部に載置されることにより、安定して支持された状態となる。
【００１０】
このとき前記持針器は、持針器本体の長さによっては、施術者の手指の大きさに適合しないことがある。しかし、本発明の持針器は、前記保持部材を基端部に対して進退させることにより、施術者の手指の大きさに応じて持針器全体の長さを調節することができ、把持し易く容易に操作することができる。
【００１１】
また、本発明の持針器は、挟持部が尖端部となっているので、円弧状に湾曲している手術用縫合針を各挟持部により確実に挟持することができる。また、本発明の持針器は、尖端部が操作脚部の軸方向及び離間方向に対して互いに直交する方向に湾曲しているので、手術用縫合針を挟持した状態で容易に操作することができる。
【００１２】
前記保持部材は、例えば、前記持針器本体の長手方向軸に対してなす角度が互いに異なる複数の保持部材が交換自在となっている。前記構成を備える持針器によれば、前記基端部に装着される前記保持部材を、縫合部位に応じた前記角度を備えるものに交換することにより、前記挟持部を該縫合部位に対して所望の角度に向けることができる。
【００１３】
本発明の持針器は、前記保持部材を基端部に対して進退させることにより、持針器全体の長さを調節することができるが、施術者の手指の大きさによってはさらに調節が必要になることがある。そこで、前記保持部材は、例えば、長さが互いに異なる複数の保持部材が交換自在であることが好ましい。前記構成を備える持針器によれば、前記保持部材を所望の長さを備えるものに交換することにより、施術者の手指の大きさに応じて持針器全体の長さをさらに適切に調節することができる。
【図面の簡単な説明】
【００１４】
【図１】本実施形態の持針器を示す斜視図である。
【図２】第１の保持部材が装着された持針器を示す説明図である。
【図３】第２の保持部材が装着された持針器を示す説明図である。
【図４】第３の保持部材が装着された持針器を示す説明図である。
【発明を実施するための形態】
【００１５】
次に、添付の図面を参照しながら本発明の実施形態についてさらに詳しく説明する。図１は本実施形態の持針器を示す斜視図である。図２（ａ）は第１の保持部材が装着された持針器を示す平面図であり、図２（ｂ）は正面図である。図３（ａ）は第２の保持部材が装着された持針器を示す平面図であり、図３（ｂ）は正面図である。図４（ａ）は第３の保持部材が装着された持針器を示す平面図であり、図４（ｂ）は正面図である。
【００１６】
図１に示す持針器１は、手術用縫合針（図示せず）を挟持する持針器本体２と、持針器本体２に装着されて相互に交換可能な複数の保持部材３，４，５とからなる。
【００１７】
持針器本体２は、１対の操作脚部６，７と、前記手術用縫合針を挟持する挟持部８とを備えている。一対の操作脚部６，７は、基端部９で連結されてＶ字形状をなし、互いに弾性的に接近及び離間可能となっている。各操作脚部６，７は、施術者の手指により押圧される中央部の互いに対向しない面に、合成樹脂製の弾性体からなる防滑部材１０が取り付けられている。防滑部材１０は、表面に多数の突起を備え、把持する指の滑りを防止する。
【００１８】
一方の操作脚部６は、挟持部８の基端側に、他方の操作脚部７に向けて突出する突出部１１を備えていて、他方の操作脚部７は、一方の操作脚部６が密接したときに突出部１１を係止する係止孔１２を備えている。
【００１９】
基端部９は、両端面に、複数の第１の凹凸部１３を備えている。
【００２０】
挟持部８は、各操作脚部６，７の先細となった先端部に設けられ、各操作脚部６，７の軸方向及び離間方向に対して互いに直交する方向に湾曲する尖端部１４からなり、尖端部１４により前記手術用縫合針を挟持する。尖端部１４，１４は、突出部１１が係止孔１２に係止されることにより、相互のズレを防止することができる。また、突出部１１が係止孔１２に係止されることにより、先端部１４，１４に掛かる力を制御することができ、前記手術用縫合針や組織に損傷を与えることが防止することができる。
【００２１】
また、各操作脚部６，７の防滑部材１０から先の部分は、サンドブラスト処理による曇り加工が施されていることが好ましい。前記曇り加工を施すことにより、手術の際に無影灯によるハレーションを防止することができる。
【００２２】
各保持部材３，４，５は、合成樹脂製の弾性体からなる略円筒体であり、表面に多数の突起を備えている。各保持部材３，４，５は、基端側から末端側へ向けて貫通し、持針器本体２の基端部９に装着される装着孔３ａ，４ａ，５ａを備えている。各装着孔３ａ，４ａ，５ａは、その天井面及び底面に、基端部９の第１の凹凸部１３に係合可能に形成された複数の第２の凹凸部（図示せず）を備えている。
【００２３】
各保持部材３，４，５は、持針器本体２の基端部９に着脱させることにより、相互に交換可能となっている。また、各保持部材３，４，５は、持針器本体２の基端部９に装着された状態で基端部９に対して進退されると、基端部９の第１の凹凸部１３と各装着孔保持部材３，４，５の前記第２の凹凸部とが係合することにより、任意の位置で係止される。
【００２４】
図２に示す第１の保持部材３は、所定の長さＬ１（例えばＬ１＝３０ｍｍ）を有していて、長手方向軸上に形成された第１の装着孔３ａを備えている。これにより、第１の保持部材３は、基端部９に装着されたときに、持針器本体２の長手方向軸の延長上に位置することとなる。
【００２５】
また、図３に示す第２の保持部材４は、所定の長さＬ１を有していて、略円筒体の側面に開口する第２の装着孔４ａを備えている。第２の装着孔４ａは、第２の保持部材４の長手方向軸に対して所定の角度θ（例えばθ＝１０°）を存している。これにより、第２の保持部材４は、基端部９に装着されたときに、持針器本体２の長手方向軸に対してθの角度をなすこととなる。第２の保持部材４は、図３（ａ）では、持針器本体２の長手方向軸に対して右側に傾いた状態で基端部９に装着されているが、上下逆方向に装着することにより、持針器本体２の長手方向軸に対して左側に傾いた状態で装着することもできる。
【００２６】
また、図４に示す第３の保持部材５は、所定の長さＬ２（例えばＬ２＝４０ｍｍ）を有していて、長手方向軸上に形成された第３の装着孔５ａを備えている。第３の保持部材５は、基端部９に装着されたときに、持針器本体２の長手方向軸の延長上に位置することとなる。
【００２７】
次に、図１を参照して本実施形態の持針器１の使用方法について説明する。まず、複数の保持部材３，４，５から選択された１つの保持部材、例えば第１の保持部材３が、持針器本体２の基端部９に装着される。次に、第１の保持部材３を基端部９に対して進退させて、施術者の手指の大きさに応じて持針器１全体の長さが調整される。そして、各操作脚部６，７が例えば施術者の第１指と第２指とで把持されて押圧されることにより、各挟持部８が接近して前記手術用縫合針を挟持する。
【００２８】
このとき、本実施形態の持針器１は、施術者の手指の大きさに応じて適切な位置に調節された第１の保持部材３が、第１指と第２指との間の股部に載置されることにより、持針器１は安定して支持された状態となる。第１の保持部材３は、弾性体からなり表面に多数の突起を備えているので、前記股部に安定して支持される。したがって、本実施形態の持針器１は、容易に操作することができる。
【００２９】
尚、各操作脚部６，７を把持する手指は、第１指と第２指とには限定されず、第１指と他の複数の手指とであってもよい。また、第１の保持部材３は、必ずしも第１指と第２指との間の股部に設置されなくてもよい。
【００３０】
また、本実施形態の持針器１は、挟持部８が尖端部１４となっているので、円弧状に湾曲している前記手術用縫合針を各挟持部８により確実に挟持することができる。また、本実施形態の持針器１は、尖端部１４が操作脚部６，７の軸方向及び離間方向に対して互いに直交する方向に湾曲しているので、前記手術用縫合針を挟持した状態で容易に操作することができる。さらに、尖端部１４は、先細で湾曲しているので、持針器１を操作する際に視野を妨げることがない。
【００３１】
また、本実施形態の持針器１は、第１の保持部材３に代えて、持針器本体２の長手方向軸に対してなす角度が第１の保持部材３とは異なる第２の保持部材４を用いることにより、挟持部８を縫合部位に対して所望の角度に向けることができる。
【００３２】
また、本実施形態の持針器１は、第１の保持部材３に代えて、第１の保持部材３とは異なる長さを有する第３の保持部材５を用いることにより、施術者の手指の大きさに応じて持針器１全体の長さをさらに適切に調節することができる。
【００３３】
また、本実施形態の持針器１では、第２の保持部材４が長手方向軸に対して所定の角度θ＝１０°傾いているとしたが、これに限定されることなく任意の角度とすることができる。また、第２の保持部材４がＬ１＝３０ｍｍの長さを有するとしたが、これに限定されることなく任意の長さとすることができる。また、第２の保持部材４が、持針器本体２の長手方向軸に対して左右いずれかの方向に傾いた状態で基端部９に装着可能に形成された第２の装着孔４ａを備えるとしたが、持針器本体２の長手方向軸に対して上下いずれかの方向に傾いた状態で装着可能に形成された装着孔を備えていてもよい。
【００３４】
また、本実施形態の持針器１では、第３の保持部材５がＬ２＝４０ｍｍの長さを有し第１の保持部材３よりも１０ｍｍ長いとしたが、これに限定されることなく任意の長さとすることができる。
【符号の説明】
【００３５】
１…持針器、  ２…持針器本体、  ３，４，５…保持部材、  ６，７…１対の操作脚部、  ８…挟持部、  ９…基端部、  １４…尖端部。
【図１】
2011000211.tif 000003
【図２】
2011000211.tif 000004
【図３】
2011000211.tif 000005
【図４】
2011000211.tif 000006